(57)【特許請求の範囲】
【請求項１】
光学系を用いて白基準部材及び原稿を走査する原稿走査手段と、
前記原稿走査手段が前記白基準部材を走査して得た画素単位の白基準データを記憶する白基準データ記憶手段と、
前記白基準データに基づいて前記原稿走査手段が走査して得た原稿の画像データの前記光学系によるシェーディング歪みをシェーディング補正するシェーディング補正手段と、
前記シェーディング補正手段によりシェーディング補正された画像データに種々の画像処理を施す画像処理手段と、
を備え、
前記原稿走査手段により前記白基準部材を走査させて前記白基準データを前記白基準データ記憶手段に記憶させるシェーディング動作と、
前記原稿走査手段で走査して原稿の画像データ得て前記光学系によるシェーディング歪みをシェーディング補正するシェーディング補正を行い、前記シェーディング補正手段によりシェーディング補正された画像データを得て種々の画像処理を施す画像読取り動作と、
により画像の読み込み及び修正を行う画像読取装置において、
前記シェーディング動作のタイミング或は回数を、前記画像処理手段の種類としてのエッジ強調を優先するモードと諧調再現を優先するモードとによって可変とし、このシェーディング動作のタイミング或は回数に応じて前記シェーディング動作と前記画像読取り動作及びその他の画像形成等に必要な動作とを合わせた総合画像読取り動作の時間或は処理速度を変化させることを特徴とする画像読取装置。
【請求項２】
前記シェーディング動作のタイミング或は回数を前記光学系の白基準部材或は原稿を照射する光源の点灯時間に基づいて判断して変化させ、前記シェーディング動作のタイミング或は回数に応じて前記総合画像読取り動作の時間或は処理速度を変化させることを特徴とする請求項１記載の画像読取装置。
【請求項３】
前記シェーディング動作のタイミング或は回数を前記光学系の白基準部材或は原稿を照射する光源の光量に基づいて判断して変化させ、前記シェーディング動作のタイミング或は回数に応じて前記総合画像読取り動作の時間或は処理速度を変化させることを特徴とする請求項１記載の画像読取装置。
【請求項４】
前記シェーディング動作のタイミング或は回数を前記原稿の走査枚数に基づいて判断して変化させ、前記シェーディング動作のタイミング或は回数に応じて前記総合画像読取り動作の時間或は処理速度を変化させることを特徴とする請求項１記載の画像読取装置。
【請求項５】
前記シェーディング動作のタイミング或は回数を前記原稿の副走査方向の長さに基づいて判断して変化させ、前記シェーディング動作のタイミング或は回数に応じて前記総合画像読取り動作の時間或は処理速度を変化させることを特徴とする請求項１記載の画像読取装置。
【請求項６】
前記シェーディング動作のタイミング或は回数を前記原稿の主走査方向の長さに基づいて判断して変化させ、前記シェーディング動作のタイミング或は回数に応じて前記総合画像読取り動作の時間或は処理速度を変化させることを特徴とする請求項１記載の画像読取装置。
【請求項７】
前記シェーディング動作のタイミング或は回数を前記原稿の搬送経路によって変化させ、前記シェーディング動作のタイミング或は回数に応じて前記総合画像読取り動作の時間或は処理速度を変化させることを特徴とする請求項１記載の画像読取装置。
【請求項８】
前記シェーディング動作のタイミング或は回数をユーザー選択によって変化させ、前記シェーディング動作のタイミング或は回数に応じて前記総合画像読取り動作の時間或は処理速度を変化させることを特徴とする請求項１記載の画像読取装置。
【請求項９】
前記シェーディング動作のタイミング或は回数を前記請求項２〜８記載の手段の２以上を用いた組み合わせにより判断して変化させ、前記シェーディング動作のタイミング或は回数に応じて前記総合画像読取り動作の時間或は処理速度を変化させることを特徴とする請求項１記載の画像読取装置。
【発明の詳細な説明】
【０００１】
【発明の属する技術分野】
本発明は、シェーディング補正精度及び画像品質を適切に判定することができる画像読取装置に関する。
【０００２】
【従来の技術】
画像読取装置においては、光源の発光光量の経時変動や温度上昇に伴う変動等、又、光電変換部の画素毎の感度の変動等による読取濃度の変動が発生し、この読取濃度の変動に伴う画質の低下を防止するために従来から原稿画像の読取前に白基準板を走査して白基準データを取得し、この白基準データに基づいて原稿画像のシェーディング補正が行われている。
【０００３】
上記シェーディング補正を行うものとしては、例えば光検出器アレイを複数回走査して得られる画像信号をＡ／Ｄ変換して各画素毎に累積して記憶する回路と、この累積した値からシェーディング補正係数を算出して記憶する回路とを備えることによって、シェーディング補正係数を低ノイズ、且つ、高速に求める画像入力装置（特開昭６１−７１７６４号公報参照）や白基準板を複数ライン走査して得た画像信号の最大値を予め設定した閾値と比較することによって光源或は白基準板の寿命を判断する画像読取装置（特開昭６３−１２４９号公報参照）等が提案されている。
【０００４】
又、基準板上の輝度情報を読み取る際にイメージセンサに光が当たっているときに同時にイメージセンサ及び光源等を載せたキャリッジを移動させることにより、基準板上の部分的な反射率の変化の影響を抑制するシェーディング補正装置（特開平１−１３２２７５号公報参照）が提案されている。
【０００５】
このように、従来の画像読取装置においては、シェーディング係数を如何に低ノイズのものとするか、白基準板を読み取った白基準データから光源や白基準板の寿命を判別するか或は白基準板を読み取る際の部分的な反射率の影響を如何に低減させるか等によってシェーディング補正を適切に行うことを目的としている。
【０００６】
そして、従来のシェーディング補正においては、一般に図６にファクシミリ装置１の場合について図示すように、原稿２を読み取る前に光源３から白基準板４に光を照射して白基準データを取得し、この白基準データに基づいてシェーディング補正を行う。
【０００７】
即ち、ファクシミリ装置１においては、原稿２を読み取る前に光源３から白基準板４に照射してその反射光をミラー５及びレンズ６を介してイメージセンサ７に導入し、イメージセンサ７で光電変換してアンプ８を介してＡ／Ｄ変換器９に転送する。このＡ／Ｄ変換器９に入力される１ライン分の画信号の最大値をピークホールド回路１０で検出・保持し、Ａ／Ｄ変換器９はこのピークホールド回路１０が検出・保持したピーク値を基準にしてアンプ８で増幅されて入力される画信号を量子化し、シェーディング補正回路１１を介してラインバッファ１２に白基準データとして格納する（以下、これら一連の動作をシェーディング動作と称する）。
【０００８】
そして、原稿２の読取時には、ガイド１３上を搬送されて来る原稿２の光源３からの光を照射し、その反射光を前記と同様にミラー５及びレンズ６を介してイメージセンサ７に導入し、イメージセンサ７で光電変換した画信号をアンプ８を介してＡ／Ｄ変換器９に転送する。このとき、１ライン分の画像信号の最大値をピークホールド回路１０で検出し、その最大値（ピーク値）を基準としてＡ／Ｄ変換器９で量子化してシェーディング補正回路１１に出力する。
【０００９】
そして、システム制御部１４は白基準板４を読み取った際にラインバッファ１２に格納した白基準データをＡ／Ｄ変換器９から入力される画信号に対応させて画素毎に順次読み出し、読み出した白基準データをシェーディング補正回路１１に渡し、該シェーディング補正回路１１に当該白基準データに基づいてＡ／Ｄ変換器９から入力される画信号をシェーディング補正演算してディジタル画像処理回路１５に出力させる。すると、ディジタル画像処理回路１５はシェーディング補正された画信号に対して種々の画像処理を行う。
【００１０】
而して、従来のファクシミリ装置１等の画像読取装置は、白基準板４の読み取りを原稿２を読み取る前に１回行って白基準データを取得すると、引き続いて原稿２の読み取りを行い、原稿２を読み取った画信号に対して白基準データに基づいてシェーディング補正を行う（以下、これら一連の動作を画像読取り動作と称する）。
【００１１】
【発明が解決しようとする課題】
しかしながら、このような従来の画像読取装置にあっては、原稿を読み取る前に白基準板を１回走査して得た白基準データに基づいてシェーディング補正を行った後に原稿からの画像データを取り込み、その後、この画像データをシェーディング補正演算して１回の原稿読取り動作としていたため、多数部の原稿が存在する場合はその都度シェーディング動作の時間が発生し、このために多数部の原稿を読み取る場合はシェーディング動作と画像読取り動作及びその他画像形成等に必要な動作とを合わせた総合画像読取り動作の時間が長くなってしまうという問題があった。
【００１２】
このため、シェーディング動作を減らすことも考えられるが、例えば多数部の原稿読取り時に最初に１回だけシェーディング補正を行うだけであると最初の読取り時の原稿は問題ないが、光源の光量変化等が発生すると多数部の後半の原稿読取りの場合は適切な光量補正が行われず、光量低下の場合は読取りデータが濃くなったり、逆に光量増加の場合は読取りデータが薄くなったりしてしまうという問題が発生した。
【００１３】
本発明は上記問題に鑑みてなされたもので、その目的とする処は、画像読取り速度と読取り画質の最適化を図ることができる画像読取装置を提供することにある。
【００１４】
【課題を解決するための手段】
上記目的を達成するため、本発明は、光学系を用いて白基準部材及び原稿を走査する原稿走査手段と、
前記原稿走査手段が前記白基準部材を走査して得た画素単位の白基準データを記憶する白基準データ記憶手段と、
前記白基準データに基づいて前記原稿走査手段が走査して得た原稿の画像データの前記光学系によるシェーディング歪みをシェーディング補正するシェーディング補正手段と、
前記シェーディング補正手段によりシェーディング補正された画像データに種々の画像処理を施す画像処理手段と、
を備え、
前記原稿走査手段により前記白基準部材を走査させて前記白基準データを前記白基準データ記憶手段に記憶させるシェーディング動作と、
前記原稿走査手段で走査して原稿の画像データ得て前記光学系によるシェーディング歪みをシェーディング補正するシェーディング補正を行い、前記シェーディング補正手段によりシェーディング補正された画像データを得て種々の画像処理を施す画像読取り動作と、
により画像の読み込み及び修正を行う画像読取装置において、
前記シェーディング動作のタイミング或は回数を、前記画像処理手段の種類としてのエッジ強調を優先するモードと諧調再現を優先するモードとによって可変とし、このシェーディング動作のタイミング或は回数に応じて前記シェーディング動作と前記画像読取り動作及びその他の画像形成等に必要な動作とを合わせた総合画像読取り動作の時間或は処理速度を変化させることを特徴とする。
【００１５】
従って、本発明によれば、シェーディング動作のタイミング或は回数を、画像処理手段の種類としてのエッジ強調を優先するモードと諧調再現を優先するモードとによって可変とし、このシェーディング動作のタイミング或は回数に応じてシェーディング動作と画像読取り動作及びその他の画像形成等に必要な動作とを合わせた総合画像読取り動作の時間或は処理速度を変化させるようにしたため、画像読取り速度と読取り画質の最適化を図ることができる。
【００１６】
【発明の実施の形態】
以下に本発明の実施の形態を添付図面に基づいて説明する。
【００１７】
尚、以下に述べる実施の形態は本発明の好適な実施の形態を示すものであるために技術的に好ましい種々の限定が付されているが、本発明の範囲は、以下の説明において特に本発明を限定する旨の記載がない限り、これらの形態に限られるものではない。
【００１８】
図１は本発明に係る画像読取装置（ファクシミリ装置）の回路構成を示すブロック図、図２は図１に示すスキャナの要部構成図である。
【００１９】
図１に示すように、本実施の形態に係るファクシミリ装置２０は、システム制御部２１、システムメモリ２２、パラメータメモリ２３、スキャナ２４、プロッタ２５、網制御部２６、モデム２７、画像メモリ２８、符号化・復号化部２９及び操作パネル３０等を備えており、これらはバス３１に接続されている。
【００２０】
上記システム制御部（制御手段、判定手段）２１は、ＣＰＵ、ＲＯＭ等を備えており、ＲＯＭ内にはファクシミリ装置２０としての基本処理プログラム、その他が格納されているとともに、各処理を実行するために必要なシステムデータが記憶されている。そして、このシステム制御部２１においては、ＣＰＵがＲＯＭ内のプログラムに基づいてシステムメモリ２２をワークメモリとして使用してファクシミリ装置２０の各部を制御し、ファクシミリ装置２０として基本処理を実行している。
【００２１】
又、前記パラメータメモリ２３はファクシミリ通信に必要な各種パラメータ情報を記憶する。
【００２２】
ところで、前記スキャナ２４は、図２に示すように、不図示の搬送ローラによって搬送される原稿４１を案内するガイド部材４２、該ガイド部材４２に取り付けられて原稿４１を案内するとともに光学系への埃や塵等の混入を防止するターゲットガラス４３、光学系に起因するシェーディング歪みを補正するための白基準板４４、搬送される原稿４１や白基準板４４に光を照射する光源４５、ミラー４６、レンズ４７、イメージセンサ４８、アンプ４９、Ａ／Ｄ変換器５０、ピークホールド回路５１、シェーディング補正回路５２、ラインバッファ５３及びディジタル画像処理回路５４等を備えており、シェーディング補正回路５２とディジタル画像処理回路５４はバス３１を介して前記システム制御部２１に接続されている。
【００２３】
白基準板（白基準部材）４４を走査する場合には、光源４５からの光はターゲットガラス４３を通過して白基準板４４に照射され、白基準板４４で反射された光はミラー４６及びレンズ４７を介して所定の縮小率でイメージセンサ４８に結像される。又、原稿４１を走査する場合には、光源４５からの光はターゲットガラス４３を通過して該ターゲットガラス４３上を搬送される原稿４１に照射され、原稿４１で反射された光はミラー４６及びレンズ４７を介して所定の縮小率でイメージセンサ４８に結像される。
【００２４】
而して、上記イメージセンサ４８は、結像された光情報を電気信号に変換してアンプ４９に出力する。アンプ４９には例えば演算増幅器（オペアンプ）が用いられ、該アンプ４９はイメージセンサ４８から入力されるアナログの画信号を所定の倍率で増幅してＡ／Ｄ変換器５０及びピークホールド回路５１に出力する。
【００２５】
従って、前記光源４５、ミラー４６、レンズ４７及びイメージセンサ４８は、全体として走査手段として機能する。
【００２６】
ピークホールド回路５１は、アンプ４９から入力される１ライン分の画信号の最大値（ピーク値）を検出してホールドする。
【００２７】
Ａ／Ｄ変換器５０は、ピークホールド回路５１がホールドしたピーク値を基準としてアンプ４９から入力される画信号を量子化してシェーディング補正回路５２に出力する。
【００２８】
ラインバッファ（白基準データ記憶手段）５３は、白基準板４４を走査したときにＡ／Ｄ変換器５０が出力する１ライン分の画像データを白基準データとして記憶し、このデータはシェーディング補正回路５２によるシェーディング補正やディジタル画像処理回路５４における画像処理において参照される。
【００２９】
シェーディング補正回路（シェーディング補正手段）５２は、システム制御部２１の制御下で、Ａ／Ｄ変換器５０から入力される画像データに光学系の特性に起因するシェーディング歪みをラインバッファ５３が記憶する画像データを参照しつつ補正するシェーディング補正処理を行ってディジタル画像処理回路５４に出力する。
【００３０】
上記ディジタル画像処理回路（画像処理手段）５４は、システム制御部２１の制御下で動作し、ラインバッファ５３が記憶する画像データを参照しつつ、或はラインバッファ５３を利用して、シェーディング補正回路５２から入力される画像データを２値化したり中間調処理するとともに、種々の画像処理を行ってラインバッファ２２ａに格納する。
【００３１】
上記ラインバッファ２２ａは、ディジタル画像処理回路５４で２値化或は中間調処理された画像データを一時記憶するためのものであり、これには図１に示すシステムメモリ２２の一部が利用されている。
【００３２】
従って、スキャナ２４は、シェーディング補正用の白基準データを取得するために白基準板４４を走査するときには、イメージセンサ４８で電気信号に変換された画信号をアンプ４９で増幅し、ピークホールド回路５１がホールドしたピーク値を基準としてＡ／Ｄ変換器５０でディジタル変換した後、この値をシェーディング補正回路５２を介してラインバッファ５３に白基準データとして格納する。
【００３３】
その後、原稿４１を走査するときには、イメージセンサ４８で電気信号に変換された画信号をアンプ４９で増幅してＡ／Ｄ変換器５０でディジタル変換した後、ラインバッファ５３の白基準データを参照してシェーディング補正回路５２でシェーディング補正し、ディジタル画像処理回路５４で種々の画像処理を施した後にラインバッファ２２ａに転送する。
【００３４】
尚、図示しないが、スキャナ２４は、通常、ＡＤＦ（自動原稿送り装置）を備えており、ＡＤＦはセットされた複数枚の原稿４１を１枚ずつ前記ターゲットガラス４３（即ち、読取部）に給送する。
【００３５】
ところで、図１に示したプロッタ２５としては例えばサーマル素子を利用したサーマル記録装置や電子写真式記録装置等が使用され、該プロッタ２５としてサーマル記録装置が使用されているときには、感熱記録紙に直接或は普通記録紙にインクシートを介して間接的に画像を記録する。
【００３６】
前記網制御部２６はモデム２７に接続されており、該網制御部２６には回線（例えば、電話回線）が接続されている。この網制御部２６は、システム制御部２１の制御下で動作して回線からの発呼に対して自動着呼し、又、回線への自動発呼処理を行うとともに、相手ファクシミリ装置との間でファクシミリ制御信号の交換を行って通信機能の設定や各種制御情報の交換を行うことによってファクシミリ通信手順を実行する。
【００３７】
前記モデム２７は、システム制御部２１の制御下で動作して送信信号の変調を行い、又、受信信号の復調を行う。
【００３８】
前記画像メモリ２８は、例えば大容量のＲＡＭ或はハードディスク装置等で構成され、主に画像データを蓄積する。即ち、画像メモリ２８には前記スキャナ２４で読み取った送信用の画像データや受信した画像データが蓄積され、蓄積された画像データはシステム制御部２１の制御下で所定時期に読み出されて送信処理や記録処理等に供される。
【００３９】
前記符号化・復号化部２９は、画像データ電送時間の短縮化と画像メモリ２８への蓄積の効率化を図るものであり、送信時には画像データを圧縮（符号化）し、又、受信時には符号化された画像データを原画像データに再生（復号化）する。
【００４０】
前記操作パネル３０は、テンキー、スタートキー、ストップキー、ファンクションキー等の各種操作キーを備えるとともに、ディスプレイ（例えば、液晶ディスプレイ）を備え、上記各操作キーからは送信操作等の各種命令が入力される。又、操作パネル３０のディスプレイには、操作キーから入力された命令内容やファクシミリ装置１からオペレータに通知する各種情報が表示される。
【００４１】
次に、本実施の形態に係るファクシミリ装置１に対する各種実施例について説明する。
【００４２】
＜実施例１＞
本実施例では、白基準板４４を白基準データを取得するために走査するタイミング或は回数（シェーディング動作のタイミング或は回数）が光源４５の点灯時間によって分かるよう構成している。
【００４３】
図３に本実施例で用いた光源（Ｘｅランプ）４５の光量の時間変化を示すが、図示のように光源４５の光量は点灯直後にやや増加し、その後急に低下し、その後は緩やかに低下して最終的にはほぼ一定の値を示す。
【００４４】
従って、予め光源４５の光量変化を測定しておけば、後は点灯開始からの時間をカウントすれば光源４５の光量変化を推定することができる。
【００４５】
そして、光源４５の光量変化と画像への影響（画像かぶりや画像薄等）を調べておけば、画像への影響がない範囲の光源４５の光量変化量及び時間が見積もられる。但し、この画像への影響は、各種条件（例えば、各種画像処理：エッジ強調モードと高階調モード等）によって違いがある。
【００４６】
図３に示すような光量変化を示すランプの場合、例えば光量５％以上で画像への影響が発生するようなケースでは、表１に示すように初期と３秒後、１０秒後、２０秒後、６０秒後、１８０秒後にのみシェーディング動作を行えば良い。
【００４７】
0003565479.tif 000002
本実施例では、多数部の原稿が不図示のＡＤＦから搬送された場合にランプが点灯されてからの時間を測り、上記の指定されたタイミング（時間）の前後で画像読取りを行っていないときにスキャナ２４でシェーディング動作を行うようにした。勿論、画像優先であれば、連続画像読み込み時に毎回シェーディング動作を行っても良いが、シェーディング動作のための時間が毎回積算されるために結果として総合画像読取時間が増加してしまう。
【００４８】
而して、本実施例では、必要、且つ、十分なシェーディング補正を行うことによって総合読取時間の増加を最小限に抑えることができた。
【００４９】
＜実施例２＞
本実施例では、前記実施例１の光源４５の光量を不図示の光量センサでモニターし、前回のシェーディング動作時の光量から予め指示された光量の変化が検知された場合にシェーディング動作を行うようにした。
【００５０】
＜実施例３＞
本実施例の形態３では、前記実施例１の光源４５の光量の変化を時間ではなく画像読取枚数で換算し、規定の画像読取枚数を経過したときにシェーディング動作を行うようにした。
【００５１】
＜実施例４＞
本実施例では、前記実施例１の光源４５の光量の変化を時間ではなく画像読取時の縦方向長さで換算し、縦方向に長い原稿を多数読み取った場合は枚数当たりのシェーディング動作の回数が多くなるようにした。
【００５２】
表２に実施例３及び４を組み合わせた場合のシェーディング動作タイミングを示す。
【００５３】
0003565479.tif 000003
表２は、シェーディング動作を行うタイミングは、原稿がＡ４（横）サイズで１分間に３０枚程度の原稿が読み込み可能な場合（１，２，５，１０，３０，９０枚目）と、Ａ３（縦）サイズで１分間に１５枚程度の原稿が読み込み可能な場合（１，２，３，５，１５，４５枚目）とで異なることを示している。
【００５４】
上記の場合、例えばＡ４横原稿の場合は１〜５枚目の原稿読込時間と５０〜５５枚目の原稿読込時間（総合画像読取り動作時間）は異なっている。
【００５５】
＜実施例５＞
本実施例では、前記実施例１の光源４５の光量の変化が該光源４５の中央と長手方向端部とで異なる場合に、光源４５の中央のみを用いる小サイズ原稿の場合と、光源４５の端部まで用いる大サイズ原稿の場合とでシェーディング動作を行うタイミングを変えるようにしている。
【００５６】
図４に本実施例で用いるＸｅランプの光量の時間変化を示す。
【００５７】
図４に示すように、ランプ点灯からの時間と光量の変化が中央部（実線）と端部（点線）で大きく異なるため、中央のみを用いる小サイズ原稿の場合は、例えば実施例１と同じような時間タイミングでのみシェーディング動作を行えば良いが、端部まで用いる大サイズ原稿の場合は、原稿１枚毎にシェーディング動作を行う必要がある。
【００５８】
＜実施例６＞
本実施例では、原稿の搬送に応じてシェーディング動作を行うタイミングを変えるようにしている。
【００５９】
即ち、不図示のＡＤＦを用いる場合と、不図示の固定原稿台でスキャナ２４が移動する場合とでは光源４５の点灯時間が異なる場合があり、それぞれ必要、且つ、十分なシェーディング動作を別に行う必要がある。
【００６０】
＜実施例７＞
本実施例では、ユーザーの好みに応じてシェーディング動作を行うタイミングを変えるようにしている。
【００６１】
操作パネル３０等から入力されたデータに基づいてスピード優先から画質優先までの各タイミングでシェーディング動作が行えるようにしている。
【００６２】
＜実施例８＞
本実施例では、画像処理手段の種類によってシェーディング動作を行うタイミングを変えるようにした。
【００６３】
図５に原稿濃度と画像処理後の画像濃度データとの関係を示すが、同図に示すように一般にエッジを強調する文字（２値）モードの場合と、高階調を求める写真モードの場合とでは原稿濃度に対して画像処理後の画像濃度データは大きく異なる。
【００６４】
図５に実線にて示す文字モードの場合は原稿濃度が多少ずれても画像処理後の画像濃度データは余り影響を受けないが、点線にて示す写真モードの場合はそのずれを受けて大きく変化してしまう。例えば、図５で原稿濃度が光源４５の光量変化でＡからＢに変化しても、文字モードではＡ１とＢ１で全く変化しないが、写真モードではＡ２からＢ２に大きく変化する。このことは、実際にはシェーディング動作を写真モードでは頻繁に行わないと読み取った画像データが濃い方にシフトしているか或は画像かぶりとなっていることを示している。
【００６５】
従って、文字モードでは毎原稿毎にシェーディング動作は必要ではないため、例えば表１のようなタイミングでシェーディング動作を行ってシェーディング動作時間を短縮して原稿読取時間を短縮し、又、写真モードでは毎原稿毎にシェーディング動作を行って画像の画質低下を防ぐことが可能となる。
【００６６】
尚、以上は本発明を特にファクシミリ装置に適応した例について説明したが、本発明はファクシミリ装置に適用が限定されるものではなく、例えばディジタル複写機や単独では画像としてのプリント手段を持たないスキャナ等にも適用可能である。
【００６７】
【発明の効果】
以上の説明で明らかなように、本発明によれば、シェーディング動作のタイミング或は回数を、前記画像処理手段の種類としてのエッジ強調を優先するモードと諧調再現を優先するモードとによって可変とし、このシェーディング動作のタイミング或は回数に応じてシェーディング動作と画像読取り動作及びその他の画像形成等に必要な動作とを合わせた総合画像読取り動作の時間或は処理速度を変化させるようにしたため、画像読取り速度と読取り画質の最適化を図ることができるという効果が得られる。
【図面の簡単な説明】
【図１】本発明に係る画像読取装置（ファクシミリ装置）の回路構成を示すブロック図である。
【図２】本発明に係る画像読取装置（ファクシミリ装置）のスキャナの要部構成図である。
【図３】本発明に係る画像読取装置（ファクシミリ装置）の光源（Ｘｅランプ）の光量の時間変化を示す図である。
【図４】本発明に係る画像読取装置（ファクシミリ装置）の光源（Ｘｅランプ）の中央部と端部の光量の時間変化を示す図である。
【図５】本発明に係る画像読取装置（ファクシミリ装置）における画像濃度と画像処理後の画像濃度データとの関係を示す図である。
【図６】従来の画像読取装置（ファクシミリ装置）のスキャナの要部構成図である。
【符号の説明】
２０      ファクシミリ装置（画像読取装置）
２１      システム制御部
２２      システムメモリ
２２ａ    ラインバッファ
２３      パラメータメモリ
２４      スキャナ
２５      プロッタ
２６      網制御部
２７      モデム
２８      画像メモリ
２９      符号化・復号化部
３０      操作パネル
３１      バス
４１      原稿
４２      ガイド部材
４３      ターゲットガラス
４４      白基準板
４５      光源
４６      ミラー
４７      レンズ
４８      イメージセンサ
４９      アンプ
５０      Ａ／Ｄ変換器
５１      ピークホールド回路
５２      シェーディング補正回路
５３      ラインバッファ
５４      ディジタル画像処理回路
【図１】
0003565479.tif 000004
【図２】
0003565479.tif 000005
【図３】
0003565479.tif 000006
【図４】
0003565479.tif 000007
【図５】
0003565479.tif 000008
【図６】
0003565479.tif 000009